(57)【要約】【課題】金属製容器とノズル付きキャップの接着力が強固であり、使用後廃棄する為に分離処理する事がはなはだ困難であった。【解決手段】金属製容器の頂部周壁に取り付けられる合成樹脂からなるノズル付きキャップに接合する部分に切り欠き部を形成すると共に、該キャップが分離し易いように摘み付き紐をキャップの中心に取り付け、この紐を嵌合部に通し、上方向に引くことで梃子の応用と成り、分離する力を増加させてプラスチック部を容易に外す事が出来る。【選択図】図１
0003123041.tif 000002
【実用新案登録請求の範囲】
【請求項１】
少なくとも、金属製容器の頂部周壁に取りつけられる合成樹脂から成るノズル付きキャツプの接合する部分に、切り欠き部を形成すると共に、該キャツプが分離し易いように、摘み付き紐を設けられてあることを特徴とする包装容器のキヤツプ構造。
【考案の詳細な説明】
【技術分野】
【０００１】  本考案は金属製容器とプラスチックキャップから成る包装容器のキャップ構造に関する。
【技術背景】
【０００２】  現在市販されている殺虫剤やエアコン清掃用スプレー等の包装容器は、使用後これを廃棄する為に分離処理する必要がある。しかし現在ある物は金属製容器とノズル付きキャップの接着力が強固であり、これを分離するのにはなはだ困難だった。なおこれらに関連する分離処理したものに下記物件の有る事も分った。
【特許文献１】  特開平０９−９５３７３号公報
【特許文献２】  特開平０９−３０１４５４号公報
【特許文献３】  特開平１０−１１７５号公報
上記特許文献１は突条部７外周に嵌合させた周壁９上端縁より容器体上面周縁部に当接させたフランジ１０を延設するとともに、上記突条部７下面に係合させた係合突条１１を周壁９内面に周設し、且つ、周壁９下端縁より延設した連結鍔１２を介して二重筒状に外周壁１３を立設してなる合成樹脂製の固定筒部材３を設け、該固定筒部材３の周壁９外周に上記支持筒１８下部内周を嵌合させてノズルキャップ４を容器体２に装着させ、上記支持筒１８下端に穿設し且つ周方向へ下る傾斜側縁を有する切り欠き部２７を設けるとともに、該切り欠き部内に突出し且つ周方向へ下る傾斜面を有する山形突部１６を上記連結鍔上に設け、上記固定筒部材３のフランジ１０及び周壁９を縦断する切り溝１５を周方向複数穿接したエアゾール容器が記載されている。
また、特許文献２ではマウンテンキャップ２がかしめ部２６において接合されたエアゾール容器本体１と、かしめ部２６に嵌合される固定部２５を有すると共にエアゾール容器本体１と異なる材質により形成されてなるバルブカバー２０と、内容物の誤った吐出操作を防止するオーバーキャップ１２とを具備するエアゾール容器において、固定部２５がかしめ部２６の内側で着脱可能に嵌合するよう構成すると共に、かしめ部２６の外側にオーバーキャップ１２が装着されたエアゾール容器が記載されていた
さらに、特許文献３はエアゾール容器カバー本体の上下方向に下端縁と接蝕する切り割りを厚み方向に貫通して形成し、この容器カバー本体の外周に固定フイルムを巻き回して、容器カバー本体を一体に固定すると共にこの固定フイルムの破断により、エアゾール容器からの容器カバー本体の除去を可能にして成ることが記載している。
【考案の開示】
【考案が解決しようとする課題】
【０００３】  現在市販されている包装容器は分離が難しくそのまま廃棄されている為、回収後の分離作業や仕分け作業など、後処理に時間とコストが掛っている。なお上記特許文献１はキャップカバーを容易に分離できる様にした発明であって、キャップ構造が非常に複雑に構成されており、金属製容器と合成樹脂ノズル付きキャップの接着力は弱く外れ易く造られているが、当考案が意図する引き金式キャップ構造とは構造が異なるものである。また、文献２ではマウンテンキャップを取り付けエアゾール容器本体からバルブカバーが脱離するように考えているが、マウンテンキャップとバルブカバーの嵌合部は使用時には接着方向に力が掛かり接着力も小さく、かつマウンテンキャップとバルブカバーの嵌合部を二回に分けて分離する必要が有る。現在市販されている引き金式包装容器に適合させる事は接着力の違いから難しい。
さらに、文献３においては容器カバーを設けそのカバーを縦割りし装着する事で容器カバーの分離を容易にする事が可能としているが、押し下げ方式なので接着力も弱く、使用中に剥離しない様にその補強に粘着テープを巻きつけてあり、テープを外す事でキャップカバーを容易に外すようにしてある。また引き金式包装容器にどの様に適合させるかが問題である。これ等の文献の発明はキャップ構造に大きな違いがある。押し下げ方式は使用時に於いて圧着方向に力が掛かるため弱い接着力で対応できたが、今回の考案は引き金式キャップ構造の為使用時には接着部に剥離する方向に力が掛るため、その解決がしにくくノズル付きキャップ２がとれないまま廃棄処理されているのが現状だった。そこで本考案はノズル付きキャップ２の接合状態が今まで通りの強い接着力であっても，摘み付き紐８を引く事で容易に金属製容器１とノズノ付きキャップ２を外す事が出来るようになる為、廃棄回収後のあと処理を完全になくすようにした事を目的にしている。
【課題を解決するための手段】
【０００４】  本考案は上記課題を解決する為に少なくとも、金属製容器の頂部周壁に取り付けられる合成樹脂から成るノズル付きキャップの接合する部分に切り欠き部を形成すると共に、該キャップが分離し易いように摘み付き紐を設けられてある事を特徴とする包装容器のキャップ構造。
【考案の効果】
【０００５】  本考案は上記構成から成るので以下に述べる効果が期待できる。
１．キャップ構造を大幅に変える事無く切り欠き部と紐を設ける事で目的を達成できる。
２．誰もが余り力を入れずに紐を引く事で容易に分離出来るようになる。
３．分離せずに，そのまま廃棄処分される事がなくなる。
４．リサイクルが今以上に増え省資源、省エネルギー化に寄与できる。
【考案を実施するための最良の形態】
【０００６】  本考案の実施の形態について図面を参照して説明する。
図１乃至図３に示すように金属製容器１の頂部にはキャップカバー１２を固定する為のキャップカバー嵌合部９が円周状に形成されている。さらに、合成樹脂から成るノズル付きキャップ２がキャップカバー嵌合部９に嵌合する形で、キャップカバー取り付け片１０が接合される。このノズル付きキャップ２には溶液を噴出させる為のポンプ押し下げ部材５が接続されており、このポンプ押し下げ部材５を上下に作動させる為のレバー４が設けられている。【０００７】  そこで、本出願人は前記キャップカバー１２を固定する為，円周状に設けられているキャップカバー嵌合部９に取り付けられるキャップカバー取付け片１０を少し大きめに切り欠き部１１を設けると共に、ノズル付きキャップ２のレバーと反対側の位置と成る腰部に穴を穿孔し、此処へ紐７を結び付けた後、紐７は金属製容器１の側面にだらりと下げておき，其の紐７の端にはシール摘み片８を設ける事で図４Ａ及び図４Ｂに示すように、ノズル付きキャップ２の紐通し穴６に止められた紐７は摘み片８を引くことでキャップカバー１２の一端を引き離すように梃子の作用が働きキャップカバー１２と共にノズル付きキャップ２も同時に引き離すことが出来る。【０００８】  また、切り欠き部１１の設置は使用時にノズル付きキャップ２の脱落を防止する為、噴出レバーの反対側に設ける事が好ましい。また、図３Ｂに示す様に切り欠き部１１はノズル付きキャップ２がキヤップカバー嵌合部９と外側のキャップカバー１２と二重にする事でノズル噴出口３から溶液を噴射する時に切り欠き部１１が外れ無い様になっている。しかし剥離し易くする為、キャップカバー嵌合部９の切り欠き長さはやや大きめに、山形に切り欠き嵌合部の面積を最適にする事が肝要である。【０００９】  ここで使用する紐７は剥離させる時切れない程度の強度を維持したもので、シール摘み片８の強度も同様に引っ張って外れない様に取り付け、ノズル付きキャップ２を剥離する時のみシール摘み片８を金属製容器１の上部に引き上げる事で簡単に剥離できる。
【図面の簡単な説明】
【００１０】
【図１】  金属製容器とノズル付きキャップの全体構成図
【図２】  全体構造図の一部断面図
【図３Ａ】  全体構造の平面図
【図３Ｂ】  図２のＡ−Ｏ−Ｏ−Ａ断面図
【図４Ａ】  取外し初め参考図１
【図４Ｂ】  取外し後参考図２
【符号の説明】
【００１１】  １  金属製容器
２  ノズル付きキャップ
３  ノズル噴出口
４  レバー
５  ポンプ押し下げ部材
６  紐通し穴
７  紐
８  シール摘み片
９  キャップカバー嵌合部
１０  キャップカバー取付け片
１１  切り欠き部
１２  キャップカバー
【図１】
0003123041.tif 000003
【図２】
0003123041.tif 000004
【図３Ａ】
0003123041.tif 000005
【図３Ｂ】
0003123041.tif 000006
【図４Ａ】
0003123041.tif 000007
【図４Ｂ】
0003123041.tif 000008